(57)【要約】【課題】本発明は、リベット部のＵ字切り込み部を延長させて開缶力を低減させたイージーオープン缶蓋において、初期開缶力の低減効果を確保しつつ開缶不良の発生を防止し、好適な開缶性を確保することを目的とする。【解決手段】本発明に係る開缶容易な缶蓋は、リングタブ４のリベット３を囲んでＵ字状に設けられたリングタブ切り込み部５の両先端５ａがリベットよりもノーズ部７の先端方向に延長されており、かつ、ノーズ部がパネル正面視で半円形状に加工され、かつ、パネル２上にスコア８が設けられたイージーオープン機構を備えた開缶容易な缶蓋において、ノーズ部のパネル正面視で半円形状の縁端のうち、終端３１側の四分の一円部の縁端に、パネル面方向に突出させた山状盛り上がり部３２を設けたことを特徴とする。【選択図】図４
2009120260.tif 000002
【特許請求の範囲】
【請求項１】
リングタブのリベットを囲んでＵ字状に設けられたリングタブ切り込み部の両先端が前記リベットよりもノーズ部の先端方向に延長されており、かつ、前記ノーズ部がパネル正面視で半円形状に加工され、かつ、パネル上に始端と終端とが間隔をなして位置し、前記始端から前記リベットに向けて近づき、次いで前記リベットから遠ざかり、前記パネルの外周に向けて湾曲し、前記終端まで連続する軌道の破断案内溝加工がなされたスコアが設けられたイージーオープン機構を備えた開缶容易な缶蓋において、
前記ノーズ部のパネル正面視で半円形状の縁端のうち、前記終端側の四分の一円部の縁端に、パネル面方向に突出させた山状盛り上がり部を設けたことを特徴とする開缶容易な缶蓋。
【請求項２】
前記リベットの中心を原点とし、前記リングタブの指掛け部の先端を０°方向とし、前記スコアの始端から終端に至る軌道の進行方向を正方向と規定したとき、前記山状盛り上がり部の頂点が、２２０〜２３０°の範囲に位置し、かつ、前記山状盛り上がり部の山裾の一方側が２００〜２１０°の範囲に位置し、山裾の他方側が２４０〜２５０°の範囲に位置することを特徴とする請求項１に記載の開缶容易な缶蓋。
【請求項３】
前記リングタブ切り込み部の両先端の延長距離Ｌと前記山状盛り上がり部の高さＨが等しいことを特徴とする請求項１又は２に記載の開缶容易な缶蓋。
【請求項４】
前記山状盛り上がり部の高さＨが０．５ｍｍ以上２ｍｍ以下であることを特徴とする請求項１、２又は３に記載の開缶容易な缶蓋。
【請求項５】
前記山状盛り上がり部の頂点の曲率半径が３．５ｍｍ以上８ｍｍ以下であることを特徴とする請求項１、２、３又は４に記載の開缶容易な缶蓋。
【請求項６】
請求項１、２、３、４又は５に記載の開缶容易な缶蓋で密封された缶容器に充填されていることを特徴とする飲料製品。
【発明の詳細な説明】
【技術分野】
【０００１】
本発明は、缶容器を密閉するためのイージーオープン機構を備えた缶蓋に関し、さらに詳しくは、飲料用の缶のために好適な缶蓋及びそれを用いた容器に充填されている飲料製品に関するものである。
【背景技術】
【０００２】
飲料缶に代表される液体状の内容物を充填する缶容器には、イージーオープン機構として開缶容易なリングタブを備えた缶蓋が多く用いられている。このリングタブを備えた缶蓋の一例を図１に正面図、図２に縦断面図として示す。缶蓋１には、リングタブ４がリベット３によって取り付けられている。このリングタブ４の指掛け部６を引き上げることによって、リベット３の近傍が折れ曲がって支点となり、リングタブ４のノーズ部７の先端が作用点となって、パネル２の表面のスコア８（缶蓋開裂誘導のための切り欠き線）に囲まれた部分であるスコアパネル９を押し下げる。この結果、パネル２の表面はスコア８の形状に沿って開裂し、スコアパネル９は缶蓋１と離れることなく缶内部に押し入れられて開缶する。このとき、飲み口が開口することから、「開缶」を「開口」と呼ぶこともある。
【０００３】
このようなリングタブを用いた缶蓋において、開缶性を評価する特性として開缶に要する力（以下、開缶力という。）がある。特に、開缶動作においてスコアが断裂を開始するために要する力（以下、初期開缶力という。）を低減することが開缶性の向上のために重要である。開缶力を低減させる方法として、図１に示すように、リングタブ４のリベット３を囲んで設けられたＵ字状のリングタブ切り込み部５（以下、Ｕ字切り込み部ともいう。）の両先端をノーズ部７の先端方向に延長する技術が公開されている（例えば、特許文献１を参照。）。この技術は、Ｕ字切り込み部５の両先端にはさまれた部分の近傍が開缶動作において折れ曲がる位置となることを利用して、リングタブ４のＵ字切り込み部５の両先端を延長して、リングタブ４の折れ曲がり位置（以下、開缶動作の支点ともいう。）を、開缶動作の作用点であるノーズ部７の先端（以下、開缶動作の作用点ともいう。）に近づけることによって初期開缶力を下げることを意図している。
【０００４】
【特許文献１】特開２００１‐４８１７１号公報
【発明の開示】
【発明が解決しようとする課題】
【０００５】
しかし特許文献１に公開されている技術は、Ｕ字切り込み部の両先端近傍の折れ曲がり位置からノーズ部の先端までの距離が短くなるため、リングタブを引き上げて９０°以上回転させた場合であっても、ノーズ部先端がスコアパネルを押し下げる量が小さくなる。その結果、スコアを完全に断裂するために必要な押し下げ量が不足し、スコアを最後まで切ることができないという開缶不良が発生する場合があり、開缶性に問題があった。
【０００６】
そこで本発明は、リベット部のＵ字切り込み部を延長させて開缶力を低減させたイージーオープン缶蓋において、初期開缶力の低減効果を確保しつつ開缶不良の発生を防止し、さらに、スコアが開ききらないという上記開缶性の問題のない好適な開缶性を確保することを目的とする。
【課題を解決するための手段】
【０００７】
本発明者は、リングタブを引き上げたときに、スコアパネルに最初に当接する箇所が、ノーズ部の先端であり、スコアが断裂を開始した後、リングタブの引き上げ角度が大きくなるに伴って、スコアパネルに当接する箇所がノーズ部の先端から徐々にノーズ部の側部に移動する、すなわち、開缶動作の作用点が移動することに着目した。そして、リングタブを引き上げて例えば９０°以上回転させたときに、ノーズ部の縁端のうち、スコアパネルに当接する箇所において、縁端を凸状にしておくとその凸の高さ分だけスコアパネルをより深く押し込むことができ、初期開缶力の低減効果を確保しつつ充分な開缶ができることを見出し、本発明を完成させた。すなわち、本発明に係る開缶容易な缶蓋は、リングタブのリベットを囲んでＵ字状に設けられたリングタブ切り込み部の両先端が前記リベットよりもノーズ部の先端方向に延長されており、かつ、前記ノーズ部がパネル正面視で半円形状に加工され、かつ、パネル上に始端と終端とが間隔をなして位置し、前記始端から前記リベットに向けて近づき、次いで前記リベットから遠ざかり、前記パネルの外周に向けて湾曲し、前記終端まで連続する軌道の破断案内溝加工がなされたスコアが設けられたイージーオープン機構を備えた開缶容易な缶蓋において、前記ノーズ部のパネル正面視で半円形状の縁端のうち、前記終端側の四分の一円部の縁端に、パネル面方向に突出させた山状盛り上がり部を設けたことを特徴とする。
【０００８】
本発明に係る開缶容易な缶蓋では、前記リベットの中心を原点とし、前記リングタブの指掛け部の先端を０°方向とし、前記スコアの始端から終端に至る軌道の進行方向を正方向と規定したとき、前記山状盛り上がり部の頂点が、２２０〜２３０°の範囲に位置し、かつ、前記山状盛り上がり部の山裾の一方側が２００〜２１０°の範囲に位置し、山裾の他方側が２４０〜２５０°の範囲に位置することが好ましい。山状盛り上がり部の頂点を上記範囲にすると、スコアの終端まで開裂を進めることができる。また、山状盛り上がり部の山裾を上記範囲にすると、山状盛り上がり部の勾配がなだらかに変化し、密封が解除された後のリングタブの特定の回転角度において、開缶力が急激に変化することを抑制できる。
【０００９】
本発明に係る開缶容易な缶蓋では、前記リングタブ切り込み部の両先端の延長距離Ｌと前記山状盛り上がり部の高さＨが等しいことが好ましい。リングタブ切り込み部の両先端を延長しない場合と同様にスコアパネルを最後まで開けることが容易となる。
【００１０】
本発明に係る開缶容易な缶蓋では、前記山状盛り上がり部の高さＨが０．５ｍｍ以上２ｍｍ以下であることが好ましい。最後までスコアパネルを開けることができ、かつ、初期開缶力に影響を与えることもない。
【００１１】
本発明に係る開缶容易な缶蓋では、前記山状盛り上がり部の頂点の曲率半径が３．５ｍｍ以上８ｍｍ以下であることが好ましい。密封が解除され、さらに開缶を進めるときに、リングタブの特定の回転角度において、開缶力が急激に変化することを抑制できる。
【００１２】
本発明に係る飲料製品は、本発明に係る開缶容易な缶蓋で密封された缶容器に充填されていることを特徴とする。
【発明の効果】
【００１３】
本発明に係る開缶容易な缶蓋は、リングタブのリベット部を囲むＵ字切り込み部の両先端を延長させて開缶力を低減させたイージーオープン缶蓋において、開缶力の低減効果を確保しつつスコアが開ききらないという開缶不良の発生を防止し、好適な開缶性を確保することができる。ここで、ノーズ部の終端側の四分の一円部の縁端に、さらにパネル方向に膨出させるように山状盛り上がり部を持たせた縁端形状に形成せしめたリングタブとしたため、密封が解除された後のリングタブの回転角度とスコアの開裂距離との関係において、急激に変化が生ずる回転角度がないため、開缶者に開缶が滑らかに行なわれたと感じさせやすい。
【発明を実施するための最良の形態】
【００１４】
本発明の実施の形態を、図面を参照しながら説明する。以下に説明する実施の形態は本発明の構成の例であり、本発明は、以下の実施の形態に制限されるものではなく、本発明の効果を奏する限り、種々の変形が可能である。
【００１５】
図４は、本実施形態に係る缶蓋の一形態を示す正面図である。本実施形態に係る開缶容易な缶蓋１は、図４に示すように、缶蓋１にリベット３を介してリングタブ４が取り付けられた構成となっている。さらに、リングタブ４のリベット３を囲んでＵ字状に設けられたリングタブ切り込み部５の両先端５ａがリベット３よりもノーズ部７の先端方向に延長されている。本実施形態に係る開缶容易な缶蓋１のパネル２には、パネル２上に始端３０と終端３１とが間隔をなして位置し、始端３０からリベット３に向けて近づき、次いでリベット３から遠ざかり、パネル２の外周に向けて湾曲し、終端３１まで連続する軌道の破断案内溝加工がなされたスコア８が設けられている。従来の缶蓋は、ノーズ部がパネル正面視で半円形状に加工されているところ、本実施形態に係る開缶容易な缶蓋１では、ノーズ部７のパネル正面視で半円形状の縁端のうち、終端側の四分の一円部（図４においてはＡ‐Ａ’線よりも上に描かれた四分の一円部分である。）の縁端に、パネル面方向に突出させた山状盛り上がり部３２が設けられている。なお、図１において符号７ａで示された破線は、ノーズ部がパネル正面視で半円形状である場合の仮想線である。山状盛り上がり部３２は、ノーズ部に付加されたものではなく、一体をなしており、破線７ａを基準として図４のように盛り上がった形状をなしている。
【００１６】
従来の缶蓋では、リングタブ切り込み部５の両先端５ａを結ぶ線Ｓは、リベット３のスコアパネル９側の周端とほぼ重なるように位置していたが、開缶動作の支点となるリングタブ４の折れ曲がり位置、すなわち、リングタブ切り込み部５の両先端５ａを、開缶動作の作用点となるノーズ部７の先端に近づけることによって初期開缶力を下げるため、図５で示すように、リベット３の周端よりもノーズ部７の先端方向にＬｍｍ延長している。ここで図５は図４のリングタブの拡大概略図である。延長長さＬは、０．５〜２ｍｍであり、好ましくは０．５〜１ｍｍである。延長長さＬが２ｍｍを超えると、スコアが完全に開裂せずにリングタブだけ回転してしまうという開缶不良が発生しやすい。一方、延長長さＬが０．５ｍｍ未満であると、初期開缶力の低減効果が小さくなってしまう場合がある。
【００１７】
なお、リングタブ切り込み部５の両先端５ａを単にノーズ部７の先端方向にＬｍｍ延長しただけでは、図１からわかるように、開缶動作の支点となるリングタブ４の折れ曲がり位置がリベット３からＬｍｍ離れることとなり、かつ、リングタブ切り込み部５の両先端５ａを結ぶ線Ｓとノーズ部７の先端との距離が短くなるため、延長しなかった場合と比較して、開缶時にリングタブ４の回転角度を大きくしなければ、スコアパネルを開けきることが困難となる。
【００１８】
スコア８の形状は従来の缶蓋のスコア形状と同じとしてよい。パネル２上に始端３０と終端３１とが間隔をなして位置しており、始端３０からリベット３に向けて近づき、次いでリベット３から遠ざかり、パネル２の外周に向けて湾曲し、終端３１まで連続する軌道の破断案内溝加工がなされている。リングタブ４の指掛け部６を引き上げることによって、ノーズ部７の先端がスコアパネル７を押し下げ、スコア８のうち、リベット３の周端の近傍に沿う部分とその両側部分に応力が掛かって、当該部分の破断案内溝が開裂する。リングタブ４の指掛け部６をさらに引き上げること、開裂は始端３０方向と終端３１方向の両方に向かって進む。始端３０は、リベット３から至近に位置するため、開裂は直ぐに終了する。一方、終端３１方向への開裂は、破断案内溝に沿って進み、最終的に終端３１にて終了する。
【００１９】
山状盛り上がり部３２は、ノーズ部７のパネル正面視で半円形状の縁端の一部を延長するように設けられている。すなわち、パネル正面視で半円形状のノーズ部を基本形状とした場合、終端３１側の四分の一円部の縁端に、パネル面方向に突出させた山状盛り上がり部３２が設けられている。パネル正面視で半円形状の縁端の一部を延長したことによって、ノーズ部７の縁端は、半円形状の内側に窪んだ部分を持たずに外側に突出し、さらに山状に盛り上がった形状となるので、図４に示すように、破線７ａを基準としてなだらかな勾配の盛り上がりの形状を有することとなる。開缶時にリングタブ４の回転角度に応じて、スコア７が終端３１に向かって開裂していくが（後述する図１０）、なだらかに盛り上がりの形状の縁端とすることによって、リングタブ４の回転角度に応じてスコアの開裂をスムーズに進めていくことができる。なお、ノーズ部７の終端３１側の四分の一円部の縁端に凸を形成すれば、確かにリングタブ４を回転させきるとスコアパネルを充分に開けることができる。しかし、半円形状の内側に窪んだ部分を有するように凸を設けた場合等、例えばパネル正面視で半円形状のノーズ部を基本形状として山状盛り上がり部３２を設けていない形状であれば、リングタブ４の回転角度に応じてスコアの開裂をスムーズに進めることができず、開缶しようとする者に違和感を与えてしまう。
【００２０】
山状盛り上がり部３２の好適な形態は次のとおりである。図５に示すように、リベット３の中心を原点とし、リングタブ４の指掛け部６の先端を０°方向とし、スコアの始端から終端に至る軌道の進行方向を正方向（図５において右回転方向である。）と規定したとき、山状盛り上がり部３２の頂点３２ａが、２２０〜２３０°の範囲に位置し、かつ、山状盛り上がり部３２の山裾の一方側（３２ｃ）が２００〜２１０°の範囲に位置し、山裾の他方側（３２ｂ）が２４０〜２５０°の範囲に位置することが好ましい。山状盛り上がり部の勾配がなだらかに変化し、初期の開缶が終わった後（密封が解除された後）のリングタブの特定の回転角度において、開缶力が急激に変化することを抑制できる。
【００２１】
前述したように、リングタブ切り込み部５の両先端５ａを単にノーズ部７の先端方向にＬｍｍ延長しただけでは、開缶時にリングタブ４の回転角度を大きくしてもスコアパネルを開けきることが困難となるが、２２０〜２３０°の範囲に山状盛り上がり部３２の頂点３２ａがあると、リングタブ４を９０°以上回転させたときに頂点３２ａがスコアパネル９をさらに奥に押し込むこととなり、スコア８の終端３１まで開裂を進めることができる。リングタブ４を９０°以上に回転させたときにスコアパネル９と当接する箇所がノーズ部７の縁端の２２０〜２３０°の範囲であるため、この範囲を外れると、山状盛り上がり部の高さＨを延長長さＬと比較して大きくする必要があり、材料使用量の増加を招くという問題が生ずる。
【００２２】
山状盛り上がり部３２の山裾の一方側（３２ｃ）が２１０°を超えると、また、山裾の他方側（３２ｂ）が２４０°よりも小さいと、山状盛り上がり部３２の勾配が急になり、かつ、山状盛り上がり部の頂点３２ａの曲率半径が小さくなり、リングタブ４の回転角度に応じてスコアの開裂をスムーズに進めることができなくなる場合がある。山状盛り上がり部３２の山裾の一方側（３２ｃ）が２００°未満、また、山裾の他方側（３２ｂ）が２５０°を超えると、リングタブ４の回転角度に応じてスコアの開裂をスムーズに進めることができるが、材料使用量の増加を招くという問題が生ずる。
【００２３】
ここで、リングタブ切り込み部５の両先端５ａの延長距離Ｌと山状盛り上がり部３２の高さＨが等しいことが好ましい。初期開缶力を低減するためにリングタブ切り込み部の両先端を延長したため、延長距離Ｌと同じ高さの山状盛り上がり部を設ければ、リングタブ切り込み部の両先端を延長しない場合と同様にスコアパネルを最後まで開けることが容易となる。
【００２４】
そして、山状盛り上がり部３２の高さＨは、０．５ｍｍ以上２ｍｍ以下であることが好ましく、０．８ｍｍ以上１．２ｍｍ以下であることがより好ましい。そして１ｍｍが好適である。最後までスコアパネルを開けることができ、かつ、初期開缶力に影響を与えることもない。また、山状盛り上がり部３２の頂点３２ａの曲率半径は、３．５ｍｍ以上８ｍｍ以下であることが好ましい。山状盛り上がり部の形状がなだらかな勾配を有することとなるため、初期の開缶が終わって密封が解除され、さらに開缶を進めるときに、リングタブの特定の回転角度において、開缶力（開缶トルク）が急激に変化することを抑制できる。
【００２５】
本実施形態に係る開缶容易な缶蓋では、山状盛り上がり部３２の縁端は、図６及び図７に示すように、下縁面１１と上縁面１２とがなす角度α１及びα２が鋭角をなすように鋭頭に加工されてなることが好ましい。図６及び図７は図５のＢ−Ｂ’線上の断面図を示している。山状盛り上がり部３２の縁端を図６及び図７に示したように鋭頭に加工しておくことで、次に述べる作用がある。まず、開缶開始時にパネル２の表面（図４におけるスコアパネル９の部分に該当する。）に接している位置は、下縁面１１の巻き加工された箇所である。この当接箇所からＵ字切り込み部５の両先端５ａ近傍の折れ曲がり位置（線Ｓの位置）までの距離は、図３に示した断面が曲面状に丸められている先端形状の場合と比較して、短くすることができる。このことは開缶力（開缶トルク）を低減させる効果につながる。次に開缶動作が進行してリングタブ４が所定の角度より引き上げられると、ノーズ部７が支点を中心に下方に回転し、ついには下縁面１１と上縁面１２とがなす鋭頭部２０がパネル２の表面（スコアパネル９）を押し下げる作用点となる。このとき開缶動作の支点から鋭頭部２０までの距離は、断面が曲面状に丸められている先端形状の場合と比較して、鋭頭部２０まで延長されるため、パネル２の表面（スコアパネル９）を十分に押し下げることができる。
【００２６】
山状盛り上がり部３２の縁端の下縁面１１と上縁面１２とがなす角度（図６におけるα１、図７におけるα２）を３０〜７０°とすることもできる。この角度が３０°より小さいと、開缶動作において直ちに鋭頭部２０がパネル２の表面に接触してしまうため、開缶力（開缶トルク）を低減させる効果が小さくなる場合がある。一方７０°より大きいと、支点から鋭頭部２０までの距離が充分でなく、パネル２の表面（スコアパネル９）を押し下げる効果が不足する場合がある。
【００２７】
なお、山状盛り上がり部３２の縁端の下縁面と上縁面とがなす角度に代えて、下縁面と缶蓋のパネルの表面とがなす角度を３０〜７０°としてもよい。
【００２８】
更に、図６及び図７に示すように、山状盛り上がり部３２の縁端は、上縁面１２がパネル２の表面とほぼ平行となるよう加工されてなることとしてもよい。さらに、開缶動作の開始時に最初にパネル２の表面と当接するノーズ部７の縁端の巻き込み下部は曲面状に巻き加工されてなることとしてもよい。開缶動作の後半時においてのみ、開缶動作の支点と作用点（鋭頭部２０）の間の距離が確実に延長し、ノーズ部７の縁端がパネル２の表面（スコアパネル９）を十分に押し下げやすくするためである。
【００２９】
上縁部１２がパネル２の表面とほぼ平行である場合、下縁面１１と上縁面１２とがなす角度は、パネル２の表面と下縁面１１とがなす角度とほぼ等しくなる。すなわち図６のα１は４５°、図７のα２は６０°にほぼ等しくなる。
【００３０】
一方、上縁部１２がパネル２の表面と平行ではない場合、山状盛り上がり部３２の縁端の下縁面１１と上縁面１２とがなす角度に代えて、山状盛り上がり部３２の縁端の下縁面１１とパネル２の表面とがなす角度を３０〜７０°としてもよい。例えば山状盛り上がり部３２の縁端の上縁面１２が曲面や変形した面で構成されために下縁面１１と上縁面１２とがなす角度が特定しがたい場合に、山状盛り上がり部３２の縁端の下縁面１１とパネル２の表面とがなす角度を使用すると便利である。
【００３１】
本実施形態に係る缶蓋で密封された缶容器は、開缶しやすく、開缶不良を生ずるおそれがないため飲料製品の容器として好適に使用できる。
【実施例】
【００３２】
缶蓋の開缶性をコンピュータシミュレーションによって評価した。
【００３３】
＜開缶性のコンピュータシミュレーション方法＞
有限要素法を用いたスコア破断シミュレーションにより、開缶トルクと開缶角度の関係及び開缶性について評価した。有限要素法とは、対象物を有限個の要素に分割して各要素の接点につき変位、応力を計算して、それらの積分値から全体の挙動を予測する構造解析では一般的な手法である。スコア破断シミュレーションとは、缶蓋全体を有限の要素に分割し、コンピュータへの入力データとして缶蓋形状、スコア形状、タブ形状等の形状データ及び材料物性データ（ヤング率、ポアソン比等）並びにリングタブの開缶角度の増加にともなう条件データ（荷重、摩擦等）を加えて有限要素法を用いた計算を行い、スコアの破断挙動を予測することによって、それに伴う開缶トルクの予測値を求める手法である。尚、開缶角度とは、開缶動作に伴うリングタブの支点を中心とする回転角度を示し、開缶トルクとは、リングタブの開缶動作における支点の位置をリングタブのＵ字切り込み部の端部としたときの開缶に要する回転トルク値を示す。スコア破断シミュレーションにおいて、スコアが破断して完全に開裂した場合を完全に開缶したと判断し、開缶性の目安とした。
【００３４】
図８に試験ｎｏ．１〜試験ｎｏ．３のリングタブの形状と開缶終了後の正面図を示した。試験ｎｏ．１は、図５のＬとＨが共に１ｍｍであり、山状盛り上がり部の頂点の曲率半径が４ｍｍである。試験ｎｏ．２は、図５のＬが１ｍｍであり、山状盛り上がり部を設けずＨは０ｍｍである。試験ｎｏ．３は、図５のＬが０ｍｍであり、山状盛り上がり部を設けずＨは０ｍｍである。
【００３５】
試験ｎｏ．１〜試験ｎｏ．３について、コンピュータシミュレーションによる開缶トルクと開缶角度の関係を示すグラフを図９に示す。図９において縦軸は開缶トルク（Ｎ・ｍ）を示し、横軸は、開缶角度（°）を示す。
【００３６】
試験ｎｏ．１と試験ｎｏ．２はＬを１ｍｍとしたため、試験ｎｏ．３と比較して、初期開缶力が約９％低下した（図９の（１）の領域）。さらに、試験ｎｏ．１はＨを１ｍｍとしため回転角度が６７°のときに開缶が終了した。一方、試験ｎｏ．２はＨが０ｍｍであった為、回転角度が６２°のときに開缶が終了した（図９の（３）の領域）。なお、図９において、（１）（２）（３）の各領域の区分けは試験ｎｏ．１と試験ｎｏ．２に対応するように行なったため、試験ｎｏ．３の（２）に相当する領域は試験ｎｏ．１と試験ｎｏ．２の（２）に相当する領域と比較して回転角度の範囲が狭く、試験ｎｏ．３の（３）に相当する領域は試験ｎｏ．１と試験ｎｏ．２の（３）に相当する領域と比較して回転角度が小さい側に領域にある。
【００３７】
図１０にリングタブの回転角度とそのときのスコアの開裂位置との関係を示した。図１０において示されているタブの角度は、支点を中心としてリングタブを回転させて開缶を行なうに際して、パネル面を基準面（０°）としたときの回転角度である。試験ｎｏ．１と試験ｎｏ．２とは同じ関係が成立したため、試験ｎｏ．２を代表として示した。なお、試験ｎｏ．１と試験ｎｏ．２とは、図８の下段で示すとおり、最終的なスコアパネルの押し込み具合は相違していた。試験ｎｏ．２と試験ｎｏ．３とを比較すると、Ｌ１ｍｍとした試験ｎｏ．２の方が、リングタブの引き上げる回転角度が同じ場合で比べると、開裂の進み具合が遅いことがわかる。この状況については、図９において、小さい回転角度で試験ｎｏ．３が開缶終了することからも確認できる。
【００３８】
図９を参照すると、試験ｎｏ．１は、山状盛り上がり部の勾配が緩やかであったため、開缶時に山状盛り上がり部を設けなかった試験ｎｏ．２とほぼ同等のスムーズさを有しているといえる。すなわち、（２）の領域における開缶トルクの変動が試験ｎｏ．１と試験ｎｏ．２とではほとんど同等であった。
【００３９】
図８の下段の開缶終了後の正面図を参照すると、試験ｎｏ．１と試験ｎｏ．３はスコアパネルが充分に押し下げられている。試験ｎｏ．２は、Ｌが１ｍｍであり、山状盛り上がり部が設けられていないため、スコアパネルが充分に押し下げられていない。
【図面の簡単な説明】
【００４０】
【図１】リングタブを備えた缶蓋の正面図である。
【図２】リングタブを備えた缶蓋のＡ−Ａ’線縦断面図である。
【図３】従来のリングタブのノーズ部の縁端部分のＢ−Ｂ’線に相当する箇所の断面図である。
【図４】本実施形態に係る缶蓋の一形態を示す正面図である。
【図５】図４のリングタブの拡大概略図である。
【図６】図５のＢ−Ｂ’線上の断面図（第一形態）である。
【図７】図５のＢ−Ｂ’線上の断面図（第二形態）である。
【図８】試験ｎｏ．１〜試験ｎｏ．３のリングタブの形状と開缶終了後の正面図を示した。
【図９】試験ｎｏ．１〜試験ｎｏ．３について、コンピュータシミュレーションによる開缶トルクと開缶角度の関係を示した。
【図１０】リングタブの回転角度とそのときのスコアの開裂位置との関係を示した。
【符号の説明】
【００４１】
１  缶蓋
２  パネル
３  リベット
４  リングタブ
５．Ｕ字切り込み部
５ａ．Ｕ字切り込み部の両先端部
６．指掛け部
７．ノーズ部
８．スコア
９．スコアパネル
１１．下縁面
１２．上縁面
２０．鋭頭部
３０．スコアの始端
３１．スコアの終端
３２．山状盛り上がり部
３２ａ．山状盛り上がり部の頂点
３２ｂ，３２ｃ．山状盛り上がり部の山裾
【図１】
2009120260.tif 000003
【図２】
2009120260.tif 000004
【図３】
2009120260.tif 000005
【図４】
2009120260.tif 000006
【図５】
2009120260.tif 000007
【図６】
2009120260.tif 000008
【図７】
2009120260.tif 000009
【図８】
2009120260.tif 000010
【図９】
2009120260.tif 000011
【図１０】
2009120260.tif 000012